(57)【要約】【課題】カード収納装置の装着作業を容易に行う。【解決手段】カード収納装置１０は筒状ケース１１と、シート状の蓋材１２とを備える。蓋材１２はケース１１の側面１１ａ，１１ｂに接着された一端部１３ａと他端部１３ｂとを有する内側シート１３と、内側シート１３に連続する外側シート１４とを有する。外側シート１４は内側シート１３に連続し、かつ重ね合わされ、ケース１１の側面１１ａに沿って延びて、延長部分１５を形成する。【選択図】図１
2019043745.tif 000002
【特許請求の範囲】
【請求項１】
カード収納装置において、
一側に開口部を有する筒状ケースと、
前記ケースの前記開口部を覆うシート状の蓋材とを備え、
前記蓋材は前記開口部を覆う内側シートと、前記内側シート上に重ね合わさせた外側シートとを有し、
前記内側シートはその一端部が、前記筒状ケースのうち前記開口部の一端側に位置する側面に接着され、その他端部が前記筒状ケースのうち前記開口部の他端側に位置する側面に接着され、
前記外側シートは前記内側シートの他端部に連続し、かつ前記内側シート上に重ね合わされ、内側シートの一端部を経て前記筒状ケース側面に沿って延びる、カード収納装置。
【請求項２】
前記筒状ケースは四角筒状となっている、請求項１記載のカード収納装置。
【請求項３】
カードプリントに設けられた筒状アダプタと、このアダプタに装着されるカード収納装置とを含むカード収納装置とアダプタの組合体において、
前記カード収納装置は一側に開口部を有する筒状ケースと、
前記ケースの前記開口部を覆うシート状の蓋材とを備え、
前記蓋材は前記開口部を覆う内側シートと、前記内側シート上に重ね合わさせた外側シートとを有し、
前記内側シートはその一端部が、前記筒状ケースのうち前記開口部の一端側に位置する側面に接着され、その他端部が前記筒状ケースのうち前記開口部の他端側に位置する側面に接着され、
前記外側シートは前記内側シートの他端部に連続し、かつ前記内側シート上に重ね合わされ、内側シートの一端部を経て前記筒状ケース側面に沿って延びる、カード収納装置とアダプタの組合体。
【請求項４】
前記筒状ケースは四角筒状となっている、請求項３記載のアダプタとカード収納装置の組合体。
【請求項５】
前記外側シートのうち前記内側シートの一端部から前記筒状ケース側面に沿って延びる延長部分の長さは、前記アダプタのうち前記外側シートの延長部分に対応するアダプタ側面の高さより長くなっている、請求項３または４記載のカード収納装置とアダプタの組合体。
【発明の詳細な説明】
【技術分野】
【０００１】
本発明は、偽造、変造防止等の安全性（セキュリティ）が要求される個人情報等を記憶するＩＣカードを製造するカードプリンタのカード挿入部に設けられたカード収納装置およびカード収納装置とアダプタの組合体に関する。
【背景技術】
【０００２】
身分証明書カード（ＩＤカード）やクレジットカードとして、近年ＩＣチップを内蔵したＩＣカードが普及し始めている。
【０００３】
このようなＩＣカードは、印刷前のカードに対してカードプリンタを用いて印刷を施すことにより得られる。この場合、まず印刷前のカードを開口部からカード収納装置に収納しておき、次にカード収納装置をカードプリンタのアダプタに装着する。次にアダプタからカードを順次カードプリンタ側へ供給することにより、このカードプリンタによってカードに印刷を施している。
【先行技術文献】
【特許文献】
【０００４】
【特許文献１】特開２００５−３３９４２９号公報
【発明の開示】
【発明が解決しようとする課題】
【０００５】
上述のように従来のカードプリンタにおいては、まず印刷前のカードを上方開口部からカード収納装置に収納し、このカード収納装置をカードプリンタのアダプタに装着している。この場合、カードプリンタのアダプタを一旦、カードプリンタ側から取外し、アダプタをカード収納装置の上方開口部に装着し、カード収納装置を上下引っ繰り返した後、アダプタをカードプリンタに再度装着する。
【０００６】
しかしながら、カード収納装置をカードプリンタのアダプタに装着する毎にアダプタをカードプリンタから取外し、アダプタをカードプリンタに再度装着する作業は煩雑である。
【０００７】
本発明はこのような点を考慮してなされたものであり、アダプタをカードプリンタから取外すことなく、カード収納容器をアダプタに装着することができるカード収納装置およびカード収納装置とアダプタの組合体を提供することを目的とする。
【課題を解決するための手段】
【０００８】
本発明は、カード収納装置において、一側に開口部を有する筒状ケースと、前記ケースの前記開口部を覆うシート状の蓋材とを備え、前記蓋材は前記開口部を覆う内側シートと、前記内側シート上に重ね合わさせた外側シートとを有し、前記内側シートはその一端部が、前記筒状ケースのうち前記開口部の一端側に位置する側面に接着され、その他端部が前記筒状ケースのうち前記開口部の他端側に位置する側面に接着され、前記外側シートは前記内側シートの他端部に連続し、かつ前記内側シート上に重ね合わされ、内側シートの一端部を経て前記筒状ケース側面に沿って延びる、カード収納装置である。
【０００９】
本発明は、前記筒状ケースは四角筒状となっている、カード収納装置である。
【００１０】
本発明は、カードプリントに設けられた筒状アダプタと、このアダプタに装着されるカード収納装置とを含むカード収納装置とアダプタの組合体において、前記カード収納装置は一側に開口部を有する筒状ケースと、前記ケースの前記開口部を覆うシート状の蓋材とを備え、前記蓋材は前記開口部を覆う内側シートと、前記内側シート上に重ね合わさせた外側シートとを有し、前記内側シートはその一端部が、前記筒状ケースのうち前記開口部の一端側に位置する側面に接着され、その他端部が前記筒状ケースのうち前記開口部の他端側に位置する側面に接着され、前記外側シートは前記内側シートの他端部に連続し、かつ前記内側シート上に重ね合わされ、内側シートの一端部を経て前記筒状ケース側面に沿って延びる、カード収納装置とアダプタである。
【００１１】
本発明は、前記筒状ケースは四角筒状となっている、アダプタとカード収納装置の組合体である。
【００１２】
本発明は、前記外側シートのうち前記内側シートの一端部から前記筒状ケース側面に沿って延びる延長部分の長さは、前記アダプタのうち前記外側シートの延長部分に対応するアダプタ側面の高さより長くなっている、カード収納装置とアダプタの組合体である。
【発明の効果】
【００１３】
以上のように本発明によれば、アダプタをカードプリンタから取外すことなく、カード収納装置をアダプタに装着することができ、作業効率を向上させることができる。
【図面の簡単な説明】
【００１４】
【図１】図１は第１の実施の形態によるカード収納装置を示す側断面図。
【図２】図２は第１の実施の形態によるカード収納装置を示す斜視図。
【図３】図３は第１の実施の形態によるカード収納装置を示す拡大図。
【図４】図４は第１の実施の形態によるカード収納装置の作用を示す図。
【図５】図５は第１の実施の形態によるカード収納装置の作用を示す図。
【図６】図６は第１の実施の形態によるカード収納装置の作用を示す図。
【図７】図７は第１の実施の形態によるカード収納装置の作用を示す図。
【図８】図８は第１の実施の形態によるカードプリンタ全体を示す概略図。
【図９】図９（ａ）（ｂ）は第２の実施の形態によるカード収納装置を示す図。
【図１０】図１０は比較例によるカード収納装置を示す斜視図。
【図１１】図１１は比較例によるカード収納装置の作用を示す図。
【発明の実施の形態】
【００１５】
＜第１の実施の形態＞
以下、図１乃至図８により本発明の第１の実施の形態について説明する。はじめに図８により、本発明によるカード収納装置、およびカード収納装置とアダプタの組合体が組込まれるカード作成装置としてのカードプリンタについて述べる。
【００１６】
図８に示すように、ＩＣカードの作成装置としてのカードプリンタ５１は、上方に配置された複数のカード挿入部（アダプタともいう）２０と、情報記録部５５とを有し、カードプリンタ５１の下方位置に、透明保護層付与部７０が配置されている。
【００１７】
アダプタ２０には、例えば、図１に示すように、カード使用者の個人情報を書き込むために予め枚葉状にカットされた複数枚のカード５０を収納したカード収納装置１０が装着される。図１に示す状態では、カード５０は顔写真を記録する面５０ａと反対側の面５０ｂを上向きにしてカード収納装置１０に収納される。なお、後述する図４の状態では、カード収納装置１０内において、カード５０は顔写真を記録する面５０ａを上向きにして収納されている。本実施の形態では、カード５０は面５０ｂ側の支持体と面５０ａ側の受像層からなり、このカード５０は１枚ずつカード収納装置１０から所定のタイミングで自動供給される。
【００１８】
情報記録部５５はこの順に配置されたイエローリボンカセット５６ａ、マゼンタリボンカセット５６ｂ、シアンリボンカセット５６ｃを備え、それぞれのカセット５６ａ，５６ｂ，５６ｃは対応する記録ヘッド５７ａ，５７ｂ，５７ｃを有する。カードプリンタ５１において、イエローリボン、マゼンタリボン、シアンリボン等の熱転写シートによる熱転写で、カード５０が移動されている間に、その受像層の所定領域にカード使用者の顔写真等の諧調を有する画像領域が記録される。
【００１９】
また、情報記録部５５はさらに、各カセット５６ａ，５６ｂ，５６ｃの下流側に設けられた文字リボンカセット５８と、記録ヘッド５９とを有し、文字リボン等の熱転写シートによる熱転写で、その氏名やカード発行日等の認証識別情報が記録され、画像記録層が形成される。
【００２０】
透明保護層付与部７０では、転写箔カセット７１が配置され、この転写箔カセット７１に対応して熱転写ヘッド７２が配置されている。そしてこの透明保護層付与部７０において、カード５０上に透明保護転写層が設けられる。
【００２１】
次にカードプリンタ５１のアダプタ２０に装着されるカード収納装置１０について述べる。
【００２２】
カード収納装置１０は、図１乃至図３に示すように、一側に開口部１１Ａを有し、他側が密閉部１１Ｂにより密閉された四角筒状のケース１１と、ケース１１の開口部１１Ａを覆うシート状の蓋材１２とを備えている。
【００２３】
このうちケース１１は上述のように四角筒状の形状をもち、全体としてＰＥＴ（ポリエチレンテレフタレート）製となっている。そしてこのような構成からなるケース１１は、同じく四角筒状の形状をもつアダプタ２０内に密閉部１１Ｂを上方へ向けて装着される。
【００２４】
また、シート状の蓋材１２はケース１１の開口部１１Ａを覆う内側シート１３と、この内側シート１３上に重ね合わされた外側シート１４とを有し、全体としてポリプロピレン（ＰＰ）製となっている。
【００２５】
また、蓋材１２のうち内側シート１３の一端部１３ａはケース１１の４つの側面のうち開口部１１Ａの一端側に位置する側面１１ａに接着され、内側シート１３の他端部１３ｂはケース１１の４つの側面のうち開口部１１Ａの他端側に位置する側面１１ｂに接着されている。この場合、内側シート１３の一端部１３ａおよび他端部１３ｂは、いずれもケース１１の側面１１ａ，１１ｂに弱接着状態で接着され、後述のように蓋材１２を引張ることにより内側シート１３の一端部１３ａおよび他端部１３ｂをケース１１の側面１１ａ，１１ｂから剥離することができる。
【００２６】
また内側シート１３の他端部１３ｂには、外側シート１４が連続して接続されている。この外側シート１４は内側シート１３上に重ね合わされて、内側シート１３の一端部１３ａまで達し、更にケース１１の側面１１ａに沿って延びて延長部分１５を形成する。
【００２７】
なお、外側シート１４の延長部分１５は、その先端部１５ａが外方へ向かって折曲げられている。
【００２８】
一方、アダプタ２０は、ベース２１を介してカードプリンタ５１に取付けられており、アダプタ２０は四角筒状をなすとともに上方が開口している。またアダプタ２０の４つの側面２０ａ，２０ｂ，２０ｃ，２０ｄの高さｌ１は外側シート１４の延長部分１５の長さｌ２より短くなっている。またアダプタ２０およびベース２１は、いずれもＳＵＳ製となっている。
【００２９】
また上述したカード収納装置１０とアダプタ２０とにより、カード収納装置とアダプタの組合体が構成される。
【００３０】
次にこのような構成からなる本実施の形態の作用について説明する。
【００３１】
まず、図１乃至図３に示すように、ケース１１を準備するとともに、開口部１１Ａを上方へ向け、密閉部１１Ｂを下方に向けておく。次にケース１１内に上方の開口部１１Ａから複数枚のカード５０を順次挿入していく。このとき、各カード５０は表裏の方向が一定に揃えられ、かつ上向き下向きも同一方向に揃えられている。
【００３２】
次にケース１１の開口部１１Ａがシート状の蓋材１２により覆われる。この場合、蓋材１２の内側シート１３のうち一端部１３ａが、ケース１１のうち開口部１１Ａの一端側に位置する側面１１ａに接着され、内側シート１３は開口部１１Ａを覆って開口部１１Ａの他端側まで延びて内側シート１３の他端部１３ｂがケース１１のうち開口部１１Ａの他端側に位置する側面１１ｂに接着される。
【００３３】
また外側シート１４は、内側シート１３の他端部１３ｂに連続するとともに折り返され、内側シート１３上に重ね合わされて内側シート１３の一端部１３ａを経て、ケース１１の側面１１ａに沿って延びて延長部分１５を形成する。
【００３４】
次にカード収納装置１０は開口部１１Ａが下方を向くよう引っ繰り返され、カード収納装置１０は開口部１５Ａを下向きにして、四角筒状のアダプタ２０内に上方の開口部２０Ａから装着される（図４および図５参照）。この場合、カード収納装置１０はその開口部１５Ａが下方を向くが、開口部１５Ａはシート状の蓋材１２により覆われているため、ケース１１内のカード５０が下方へ落下することはない。
【００３５】
また図５に示すように、カード収納装置１０がアダプタ２０内に装着された時、シート状の蓋材１２の外側シート１４の延長部分１５の長さｌ２は、アダプタ２０の側面２０ａ，２０ｂ，２０ｃ，２０ｄの高さｌ１より長くなっているため、延長部分１５の先端部１５ａはアダプタ２０の外方へ突出している。
【００３６】
次に図５および図６に示すように、アダプタ２０の側面２０ａから外方へ突出する外側シート１４の先端部１５ａを把持して延長部分１５を外方へ引っ張る。この場合、外側シート１４の先端部１５ａを引っ張ると、外側シート１４に連続する内側シート１３の他端部１３ｂがケース１１の側面１１ｂから剥離する。更に外側シート１４の先端部１５ａを引っ張ると、外側シート１４がアダプタ２０の外方へ出てくるとともに、内側シート１３の一端部１３ａもケース１１の側面１１ａから剥離し、このようにしてケース１１の開口部１１Ａを覆う蓋材１２を、すべてケース１１から取外すことができる。その後、ケース１１内に収納されたカード５０は、下方から順次カードプリンタ５１側へ所定のタイミングで自動供給される。
【００３７】
以上のように、本実施の形態によれば、上述のように内部に複数のカード５０が収納されたカード収納装置１０をアダプタ２０に装着する際、カードプリンタ５１側のアダプタ２０をいちいちカードプリンタ５１から取外す必要はなく、カード収納装置１０のアダプタ２０への装着作業を簡略化することができる。
【００３８】
すなわち、図１０および図１１に示すシート状の蓋材を用いない比較例において、ケース１１をその開口部１１Ａが上方を向くように配置し、ケース１１の上方を向く開口部１１Ａからケース１１内へ複数枚のカード５０を挿入する。次にカードプリンタ５１からアダプタ２０を取外し、このアダプタ２０をケース１１の上方を向く開口部１１Ａに装着し、アダプタ２０によりケース１１の開口部１１Ａからカード５０が落下しないようにする。
【００３９】
次にケース１１を引っ繰り返し、アダプタ２０をカードプリンタ５１側へ取り付ける。
【００４０】
このように図１０および図１１に示す比較例において、ケース１１をアダプタ２０に装着する場合、アダプタ２０を一旦カードプリンタ５１から取り外し、その後再度、アダプタ２０をカードプリンタ５１へ取り付ける必要が生じる。
【００４１】
これに対して本実施の形態によれば、カード収納装置１０をアダプタ２０に装着する際、カードプリンタ５１側のアダプタ２０をいちいちカードプリンタ５１から取り外す必要はなく、カード収納装置１０の装着作業を容易に行うことができる。
【００４２】
＜第２の実施の形態＞
次に図９（ａ）（ｂ）により、本発明の第２の実施の形態について説明する。図９（ａ）（ｂ）に示す実施の形態はアダプタ２０の形状が異なる点が相違するが、他の構成は図１乃至図８に示す第１の実施の形態と略同一である。
【００４３】
図９（ａ）（ｂ）に示す第２の実施の形態において、図１乃至図８に示す第１の実施の形態と同一部分には同一符号を付して詳細な説明は省略する。
【００４４】
図９（ａ）（ｂ）に示すように、アダプタ２０は上方に開口部２０Ａを有するとともに４つの側面２０ａ，２０ｂ，２０ｃ，２０ｄを有する四角筒状の形状をもつ。また４つの側面２０ａ，２０ｂ，２０ｃ，２０ｄのうち一方の側面２０ａの高さｌ３は、他の側面２０ｂ，２０ｃ，２０ｄの高さｌ４より短くなっている。
【００４５】
またシート状の蓋材１２の延長部分１５の長さは、ｌ２となっている。
【００４６】
図９（ａ）（ｂ）に示す第２の実施の形態において、シート状の蓋材１２の延長部分１５の長さｌ２と、側面２０ａの高さｌ３と、側面２０ｂ，２０ｃ，２０ｄの高さｌ４は以下のような関係をもつ。
ｌ３＜ｌ２＜ｌ４
【００４７】
アダプタ２０内にカード収納装置１０を装着する際、シート状の蓋材１２の延長部分１５が側面２０ａに対応して配置される場合、延長部分１５の先端部１５ａは側面２０ａの上方から外方へ現れる。このため延長部分１５の先端部１５ａを把持して引っ張ることにより、シート状の蓋材１２をカード収納装置１０のケース１１から取外すことができる。
【００４８】
他方、シート状の蓋材１２の延長部分１５が他の側面、例えば側面２０ｃに対応して配置された場合、側面２０ｃの高さｌ４は延長部分１５の長さｌ２より大きいため、延長部分１５は側面２０ｃ内に収まってしまい外方へ現れることはない。
【００４９】
上述のように、カード収納装置１０のケース１１内において、カード５０は表裏の方向および上向き下向きの方向も同一方向に揃えられている。このため、アダプタ２０内にカード収納装置１０を装着する際、シート状の蓋材１２の延長部分１５をアダプタ２０の側面２０ａに対応させ、延長部分１５が側面２０ａの上方から外方へ突出させることにより、アダプタ２０内にカード収納装置１０を正しい向きで装着することができ、これに伴って、カード収納装置１０のケース１１内に収納されたカード５０をアダプタ２０に対して正しい向きに装着することができ、ケース１１から正しい方向に向いたカード５０をカードプリンタ５１側へ供給することができる。
【符号の説明】
【００５０】
１０  カード収納装置
１１  ケース
１１Ａ  開口部
１１Ｂ  密閉部
１１ａ，１１ｂ，１１ｃ，１１ｄ  側面
１２  シート状の蓋材
１３  内側シート
１３ａ  一端部
１３ｂ  他端部
１４  外側シート
１５  延長部分
１５ａ  先端部
２０  アダプタ
２０ａ，２０ｂ，２０ｃ，２０ｄ  側面
５０  カード
５１  カードプリンタ
【図１】
2019043745.tif 000003
【図２】
2019043745.tif 000004
【図３】
2019043745.tif 000005
【図４】
2019043745.tif 000006
【図５】
2019043745.tif 000007
【図６】
2019043745.tif 000008
【図７】
2019043745.tif 000009
【図８】
2019043745.tif 000010
【図９】
2019043745.tif 000011
【図１０】
2019043745.tif 000012
【図１１】
2019043745.tif 000013